(57)【要約】【課題】携行に便利で、倍率を自在に変えることができるルーペと、直置き、手持ち式のいずれとしても使用でき、かつ名刺サイズ程度以下の各種小物と一緒に携行できる多機能なルーペセットを提供する。【解決手段】中心にレンズ部５を有する平盤状樹脂成形体４にレンズ部５を外囲するリング状磁石片６を埋め込んでルーペ体とし、これを単体であるいは本体１ａと蓋体１ｂを開閉可能に連結したケース体１に挿脱可能に収納し、本体１ａと蓋体１ｂにはルーペ体１のレンズ部５に対応する部位に窓穴１５，１６を形成した。【選択図】図１
2004317955.tif 000002
【特許請求の範囲】
【請求項１】
中心にレンズ部５を有する平盤状樹脂成形体４にレンズ部５を外囲するリング状磁石片６を埋め込んでいることを特徴とするルーペ。
【請求項２】
本体１ａと蓋体１ｂを開閉可能に連結したケース体１に小物収容部１３とルーペ収容部１４とを設け、前記ルーペ収容部１４には、中心にレンズ部５を有する平盤状樹脂成形体４にレンズ部５を外囲するリング状磁石片６を埋め込んだルーペ体２を挿脱可能に収納し、本体１ａと蓋体１ｂにはルーペ体１のレンズ部５に対応する部位に窓穴１５，１６を形成したことを特徴とするルーペセット。
【請求項３】
ルーペ収容部１４がルーペ体１を囲む囲壁１４０を有している請求項２に記載のルーペセット。
【発明の詳細な説明】
【０００１】
【発明の属する技術分野】
本発明はルーペおよびこれを用いたルーペセットに関する。
【０００２】
【従来の技術】
ルーペは従来より汎用されているが、取手がついた手持ち式のものは、対象物にかざしながら透視するため焦点がぶれやすいとともに、手が疲れる問題があった。別のタイプとして、対象物に接近させて使用するものがあるが、通常、文鎮のようにブロック状をなしているので、使い勝手が悪く、携行して簡便に使用できない問題があった。
【０００３】
【発明が解決しようとする課題】
本発明は前記のような問題点を解消するためになされたもので、その目的とするところは、携行に便利で、倍率を自在に変えることができるルーペを提供することにある。
また、本発明の他の目的は、直置き、手持ち式のいずれとしても使用でき、かつ名刺サイズ程度以下の各種小物と一緒に携行できる多機能なルーペセットを提供することにある。
【０００４】
【課題を解決するための手段】
上記目的を達成するため本発明のルーペは、中心にレンズ部を有する平盤状樹脂成形体にレンズ部を外囲するリング状磁石片を埋め込んでいることを特徴としている。
【０００５】
また、発明のルーペセットは、本体と蓋体を開閉可能に連結したケース体にルーペ収容部と小物収容部を設け、前記ルーペ収容部には、中心にレンズ部を有する平盤状樹脂成形体にレンズ部を外囲するリング状磁石片を埋め込んだルーペ体を挿脱可能に収納し、本体と蓋体にはルーペ体のレンズ部に対応する部位に窓穴を形成したことを特徴としている。
【０００６】
【発明の実施の形態】
以下本発明の実施例を添付図面を参照して説明する。
図１は本発明によるルーペセットの実施例を示しており、１は扁平状のケース体、２はルーペ体であり、複数（この例では２枚）使用している。３は小物品である。
前記ルーペ体２は、図２と図３に示すように、平盤状の樹脂成形体４の中央に凸のレンズ部５を有し、かつ該レンズ部５を囲んでリング状（完全なリングでなく円周上で分割されているものを含む）の磁石片６を埋設している。磁石片６は上下に磁極を有しており、埋め込み部分の樹脂成形体外周には相対的に厚みの薄いリング状つば７が形成されている。各ルーペ体２，２は前記リング状の磁石片６の吸着力によって重合され、一つのルーペとなっている。
【０００７】
ルーペ体２は、たとえば、直径が４２ｍｍ、厚さが５ｍｍ、レンズ部径が１３ｍｍ、倍率５倍といったものが挙げられ、２枚重ねられることで１０倍のルーペとされる。
【０００８】
図３では、樹脂成形体４は上片４ａと下片４ｂとに分割されており、それぞれ厚さ方向で半割の半断レンズ部５０の外周に環状溝４０と半断リング状つば７０を形成している。前記環状溝４０にリング状の磁石片６が収納され、その状態で上片４ａと下片４ｂが重ねられ、圧着、接合などによって一体化されている。
【０００９】
図４はルーペ体２の別の例を示しており、樹脂成形体４はリング状の磁石片６を埋設する形で一体成形されている。これは、リング状の磁石片６を成形型のキャビティーに装填して溶融樹脂を充填するインサート成形などで得ることができる。
【００１０】
ケース体１は、たとえばポリプロピレンなどの合成樹脂で成形された本体１ａと蓋体１ｂからなっており、それらは一体形成のヒンジ部１０によって連結され、留め部１１，１２によって開閉されるようになっている。ケース体１は内容物の確認が容易なように透明ないし半透明に構成されている。
【００１１】
本体１ａは、面部とこれの周囲を囲む囲壁によって比較的浅い箱状を呈し、カード類、名刺、メモリカード、メモリスティック、各種部品、サンプルなど所望の小物品３を収納する収納部１３が半部に設けられ、残る半部には、前記ルーペ体２の収納部１４が設けられている。
前記ルーペ収納部１４は平面輪郭が略Ｕ状をなし、ルーペ体２の輪郭に対応するように収納部１３から延びており、内部にはルーペ体２を囲む分割囲壁１４０、１４０が立設され、これによりルーペ体２がずれることなく安定的に収納されるようになっている。
【００１２】
前記本体１ａと蓋体１ｂのルーペ収納部を構成する面部には、ルーペ体２のレンズ部５に対応する位置に、窓穴１５，１６が形成されている。
【００１３】
【実施例の作用】
本発明のルーペ体２は、ケース体１に収容しない単体の状態で、図４のように１枚のルーペないしレンズとして使用することができる。また、レンズ部５を囲んでリング状の磁石片６を埋設しているので、図３のように、ルーペ体２を２枚あるいはそれ以上重ねるだけで、磁力によって吸着一体化した段重ねルーペないし段重ねレンズとなる。したがって、きわめて簡単に、所望の高倍率が得られる。
ルーペ体２は、厚みの薄いリング状つば７を外周部分に有しているので、段重ねした状態で周縁部に隙間が形成される。したがって、この隙間に手指を入れることで段重ねルーペないしレンズを簡単に単体ルーペないし単体レンズに分離することができる。
【００１４】
また、本発明のルーペ体２は、薄く小型であるので、カメラのレンズの部位に装着することで、接写機能のないデジタルカメラやカメラ付き携帯電話機を接写できるようにすることができる。リング状の磁石片６を埋設しているので、カメラ筐体、レンズ筐体などが磁性体で構成されている場合には、磁力によりワンタッチで着脱することができる。カメラ筐体、レンズ筐体などが樹脂、非磁性ステンレス鋼、チタン、マグネシウムなど非磁性である場合も、レンズ外周部分に磁性体を接着等で固定しておくことにより、本発明のルーペ体２で簡便に接写機能を持たすことができる。
また、ルーペ体２はリング状の磁石片６を埋設しているので、この磁石片６の機能を使って、図７のように磁性板Ｂに対してメモや紙などの薄層品Ａ’を留めておくクリップとしても利用でき、そのままルーペとして拡大視することができる。
【００１５】
さらに、前記ルーペ体２、２を段重ねした状態でケース体１の本体１ａのルーペ収納部１４に入れ、収納部１３に所望の小物品３を収納して蓋体１ｂを閉じることによりカード類と一緒に携帯することができる。
そして、収納している小物品３を取り出して見るとき、あるいは他の物品を拡大観察したいときには、図５のように、対象物Ａの上にケース体１のルーペ収納部１４を置き、窓穴１５，１６を覗けばよい。
【００１６】
ルーペ体２は分割囲壁１４０で水平方向にずれぬように位置決め保持されており、窓穴１５，１６の位置にレンズ部５が露出しているため、的確に拡大視することができ、ケース体１を移動することによって文字列等を連続的に読み取ることができる。このとき、レンズ部５はケース体１の面部板厚分以上が対象物と離間しているので、レンズ部５が対象物と接触して汚れたりしない。
【００１７】
また、もっと拡大視したい時には、ケース体１を把手として持ち、図６のように対象物Ａから離して窓穴１５，１６から観察することができる。この場合、対象物Ａを反転視したくないときには、ルーペ体２の１枚を取り出しておけばよい。分割囲壁１４０、１４０間には指先を挿入できるスペースがあるので、ルーペ体２の取り出しは容易である。
【００１８】
【発明の効果】
以上説明した本発明の請求項１によるときには、中心にレンズ部５を有する平盤状樹脂成形体４にレンズ部５を外囲するリング状磁石片６を埋め込んだルーペ体としているので、単体の状態で直置き式あるいは手持ち式のルーペとして使用でき、しかも、複数のルーペ体２，２を重ねるだけで、リング状磁石片６の磁力で重ね状態が固定化され、所望の高倍率のルーペとすることができる。また、リング状磁石片の磁力を利用して、メモなどを留めておくマグネットクリップとしても使用できるというすぐれた効果が得られる。
【００１９】
請求項２によれば、本体１ａと蓋体１ｂを開閉可能に連結したケース体１にルーペ収容部１４と小物収容部１３を設けているので、名刺、カード類、サンプル、部品などを散逸させず、ルーペと一緒に携行することができ、前記ルーペ収容部１４には、中心にレンズ部５を有する平盤状樹脂成形体４にレンズ部５を外囲するリング状磁石片６を埋め込んだルーペ体２を挿脱可能に収納し、本体１ａと蓋体１ｂにはルーペ体１のレンズ部５に対応する部位に窓穴１５，１６を形成しているので、拡大視するときには、ルーペ体２を取り出すことなく、対象物の上にケース体１を置くだけで拡大視することができ、また、ケース体１を把手として手に持って拡大視することができ、あるいは、ルーペ体２を取り出して単体ルーペとして拡大視できるなどさまざまな態様で使用できるというすぐれた効果が得られる。
【００２０】
請求項３によれば、ルーペ体２が複数でもリング状磁石片６の吸着によってしっかりと一体化された状態に保たれるので上下方向での位置が安定しており、しかもルーペ収容部１３がルーペ体を囲む囲壁１４０を有しているので、水平方向でも位置が安定している。したがって、ぶれやちらつきが起こらず、円滑、的確に観察することができるというすぐれた効果が得られる。
【図面の簡単な説明】
【図１】本発明によるルーペセットの一例を示す斜視図である。
【図２】本発明によるルーペの横断面図である。
【図３】（ａ）は複数のルーペを分離した状態の斜視図、（ｂ）は重ねた状態の部分切欠側面図である。
【図４】本発明によるルーペの別態様を示す横断面図である。
【図５】（ａ）は本発明によるルーペセットを置きルーペとして使用している状態を示す断面図、（ｂ）は（ａ）の一部拡大図である。
【図６】本発明によるルーペセットを手持ちルーペとして使用している状態を示す部分切欠側面図である。
【図７】本発明によるルーペの他の使用法を示す正面図である。
【符号の説明】
１    ケース体
１ａ  本体
１ｂ  蓋体
２    ルーペ体
３    小物品
４    樹脂成形体
５    レンズ部
６  リング状磁石片
１３  小物品収納部
１４    ルーペ収納部
１５，１６  窓孔
１４０  囲壁
【図１】
2004317955.tif 000003
【図２】
2004317955.tif 000004
【図３】
2004317955.tif 000005
【図４】
2004317955.tif 000006
【図５】
2004317955.tif 000007
【図６】
2004317955.tif 000008
【図７】
2004317955.tif 000009